(57)【特許請求の範囲】
【請求項１】
係合部を有する交換台本体と、
前記交換台本体上に配置され且つ前記係合部と係合可能な被係合部を有するマットと、を具備し、
前記係合部又は前記被係合部の一方が横方へ延在する突起であり且つ他方が該突起を受容する受容部であり、前記突起と前記受容部とが、前記マットが前記交換台本体から外れないように係合し、
前記マットに寝かせた乳幼児の上下が逆になるように前記マットを１８０度回転させて前記交換台本体上に配置しても前記係合部と係合可能となるように、前記被係合部が、前記マットに対称的に設けられていることを特徴とするおむつ交換台。
【請求項２】
前記受容部が、凹部又は穴部であることを特徴とする請求項１に記載のおむつ交換台。
【請求項３】
前記交換台本体が、前記係合部を備えた別体の取付部材を有することを特徴とする請求項１又は２に記載のおむつ交換台。
【請求項４】
前記マット近傍の前記交換台本体上に物品載置部が設けられていることを特徴とする請求項１乃至３のいずれか一項に記載のおむつ交換台。
【請求項５】
当該おむつ交換台が折り畳み式であることを特徴とする請求項１乃至４のいずれか一項に記載のおむつ交換台。
【発明の詳細な説明】
【技術分野】
【０００１】
本発明は、おむつ交換台に関する。
【背景技術】
【０００２】
電車の駅等の公共施設のトイレ等の壁面に設けられた、乳幼児のおむつを交換するための台であるおむつ交換台が公知である（例えば特許文献１）。特許文献１に示されるようなおむつ交換台は、一般的に、平板状の交換台本体と、交換台本体上に設けられ且つ乳幼児を寝かせるマットと、壁面に固定され且つ交換台本体を回動可能に支持するベースとを有している。したがって、おむつ交換台は、交換台本体が壁面に平行に配置された未使用状態と、交換台本体が壁面に対して垂直、すなわち水平に配置された使用状態とを切り替え可能である。
【０００３】
マットは、おむつ交換台の施工時に、設置される壁面の位置や周囲のスペースに応じて交換台本体に対する向きを変更する必要がある。また、マットは、おむつ交換台の継続的な使用によって汚れや破れ等が生じ、交換しなければならない場合がある。そのため、マットは、交換台本体に対して着脱可能である。
【０００４】
交換台本体に対するマットの取り付けは、例えば、交換台本体の上面に対向するマットの底面に爪状の複数の突起を設け、突起に対応する位置に設けられた交換台本体の穴部に対して各突起を挿入し、各突起が穴部内でスナップ式に嵌合することによって行われる。
【先行技術文献】
【特許文献】
【０００５】
【特許文献１】特開２０１５−２３９６３号公報
【発明の概要】
【発明が解決しようとする課題】
【０００６】
しかしながら、こうしたスナップ式の取り付け機構によれば、一旦、マットを交換台本体に取り付けた後に再度外して向きの調整を行おうとした場合に、爪部が折れてしまう場合がある。その場合には、マット全体を新品に交換しなければならなくなることから、マットの交換台本体に対する取り付け機構の耐久性が要求される。また、おむつ交換台は、その製品の特徴から数年という長期間に亘って使用されることが多いことからも、取り付け機構の耐久性が要求される。一方で、マットは、施工時及びメンテナンス時の着脱の容易性も要求される。
【０００７】
本発明は、着脱を容易に行うことができ且つ耐久性に優れたマットの取り付け機構を有するおむつ交換台を提供することを目的とする。
【課題を解決するための手段】
【０００８】
本発明の一態様によれば、係合部を有する交換台本体と、前記交換台本体上に配置され且つ前記係合部と係合可能な被係合部を有するマットと、を具備し、前記係合部又は前記被係合部の一方が横方へ延在する突起であり且つ他方が該突起を受容する受容部であり、前記突起と前記受容部とが、前記マットが前記交換台本体から外れないように係合することを特徴とするおむつ交換台が提供される。なお、「横方」とは、マットにおいて乳幼児を寝かせる平坦なマット面と平行な方向をいう。
【０００９】
また、別の態様によれば、前記受容部が、凹部又は穴部であることを特徴とするおむつ交換台が提供される。
【００１０】
また、別の態様によれば、前記マットに寝かせた乳幼児の上下が逆になるように前記マットを１８０度回転させて前記交換台本体上に配置しても前記係合部と係合可能となるように、前記被係合部が、前記マットに対称的に設けられていることを特徴とするおむつ交換台が提供される。
【００１１】
また、別の態様によれば、前記交換台本体が、前記係合部を備えた別体の取付部材を有することを特徴とするおむつ交換台が提供される。
【００１２】
また、別の態様によれば、前記マット近傍の前記交換台本体上に物品載置部が設けられていることを特徴とするおむつ交換台が提供される。
【００１３】
また、別の態様によれば、当該おむつ交換台が折り畳み式であることを特徴とするおむつ交換台が提供される。
【発明の効果】
【００１４】
本発明の態様によれば、着脱を容易に行うことができ且つ耐久性に優れたマットの取り付け機構を有するおむつ交換台を提供するという共通の効果を奏する。
【図面の簡単な説明】
【００１５】
【図１】本発明の実施形態によるおむつ交換台の斜視図である。
【図２】使用状態のおむつ交換台を真上から見た図である。
【図３】マットの斜視図である。
【図４】マットの別の斜視図である。
【図５】マットの縦断面図である。
【図６】マットと上部第１ハウジングと上部第２ハウジングとの底面図である。
【図７】下部ハウジングに取り付けられた上部第１ハウジングの斜視図である。
【図８】突起と凹部との係合を示す斜視図である。
【図９】突起と凹部との係合を示す断面図である。
【図１０】マットの取り付け方を示す図である。
【図１１】突起と穴部との係合を示す断面図である。
【発明を実施するための形態】
【００１６】
以下、図面を参照しながら本発明の実施の形態を詳細に説明する。全図面に亘り、対応する構成要素には共通の参照符号を付す。
【００１７】
図１は、本発明の実施形態によるおむつ交換台１の斜視図であり、図２は、使用状態のおむつ交換台１を真上から見た図である。
【００１８】
おむつ交換台１は、乳幼児を保護するためのベルト２と、交換台本体１０と、交換台本体１０上に設けられたマット２０と、壁面に固定されるベース３０とを有している。交換台本体１０は、平板状の部材であり、マット２０が固定される。マット２０は、クッション性のあるクッション部材によって表面が覆われており、乳幼児を寝かせる平坦なマット面２１と、寝かせた乳幼児の頭部が配置される頭部側部分２２と、脚部が配置される脚部側部分２３とを有している。
【００１９】
ベース３０は、上部ベース３１及び下部ベース３２を有する。上部ベース３１は、交換台本体１０を回動可能に支持する。したがって、おむつ交換台１は、交換台本体１０が壁面に平行に配置された未使用状態（図示せず）と、交換台本体１０が壁面に対して垂直、すなわち水平に配置された使用状態（図１）とを切り替え可能な折り畳み式である。なお、下部ベース３２は、上部ベース３１を下方から補強的に支持する脚状の部材であることから、上部ベース３１の壁面に対する固定で十分である場合には、省略可能である。
【００２０】
図２では、図中上方に、おむつ交換台１が固定して取り付けられる壁面（図示せず）が位置している。マット２０の頭部側部分２２は図中左側に配置され、マット２０の脚部側部分２３は図中右側に配置されている。したがって、保護者は壁面に向かって交換台本体１０の右側に立ち、乳幼児のおむつの交換作業等を行う。他方、おむつ交換台１が設置される壁面に対し、右側に別の壁面や障害物があることによって十分なスペースを確保できない場合には、マット２０を１８０度回転させて交換台本体１０に取り付けられる。すなわち、寝かせた乳幼児の上下が逆になるように、図２において、右側にマット２０の頭部側部分２２が配置され、左側にマット２０の脚部側部分２３が配置される。このとき、保護者は壁面に向かって交換台本体１０の左側に立ち、乳幼児のおむつの交換作業等を行う。
【００２１】
交換台本体１０には、おむつ交換等の作業を行う保護者の利便性のために、荷物等の物品を置く場所が幾つか設けられている。例えば、図２においてマット２０の上方に位置する交換台本体１０の比較的広い平面領域Ａには、大きな荷物を配置することができる。平面領域Ａは、マット２０の外周の壁と、上部ベース３１の前面との間に形成された領域である。すなわち、平面領域Ａは、マット２０近傍に設けられた物品載置部である。また、交換台本体１０の壁面から離間した２つの角近傍には、荷物を引っ掛けるためのフックを構成する凹部Ｂが形成されている。
【００２２】
使用状態のおむつ交換台１において交換台本体１０は、底面に位置する下部ハウジング１１と、平面領域Ａを有する上部第１ハウジング１２と、凹部Ｂを有する上部第２ハウジング１３とを有している。上部第１ハウジング１２と上部第２ハウジング１３とは、マット２０をその間に挟み込みながら、下部ハウジング１１に対して螺合等の結合手段によって取り付けられる。したがって、上部第１ハウジング１２と上部第２ハウジング１３は、マット２０の別体の取付部材の役割を果たす。下部ハウジング１１と、上部第１ハウジング１２と、上部第２ハウジング１３とは、硬質のプラスチック、例えばＡＢＳ樹脂を一体成型することによって形成される。
【００２３】
図３は、マット２０の斜視図であり、図４は、マット２０の別の斜視図であり、図５は、マット２０の縦断面図であり、図６は、マット２０と上部第１ハウジング１２と上部第２ハウジング１３との底面図である。図３乃至図６において、マット２０の表面を覆うクッション部材は省略されている。すなわち、マット２０は、硬質のプラスチック、例えばＡＢＳ樹脂を一体成型した構造体を、クッション部材で覆うことによって形成される。なお、マット２０において、乳幼児が仰向けに寝た状態で乳幼児から見て、頭部側を「上」とも称し、脚部側を「下」とも称し、左右をそのまま「左右」と称す。
【００２４】
図２及び図６に示されるように、マット２０は、真上及び真下から見て略長方形の外形を有している。マット２０は、上述したように、頭部側部分２２と脚部側部分２３とを有し、頭部側部分２２と脚部側部分２３との間には、中央に向かって狭窄した胴部部分２４とを有している。マット２０の外周には、連続した曲面によって構成される周壁２５が形成されている。なお、図６は、マット２０と、上部第１ハウジング１２及び上部第２ハウジング１３との形状及び構造の比較のため、これらは離間して示されている。
【００２５】
図３及び図５に示されるように、周壁２５は、左右と頭部側が高く形成され、脚部側は低く形成されている。具体的には、マット面２１から垂直方向の長さを高さとすると、左右の第１周壁部２５ａは、例えば７０ｍｍの高さを有し、頭部側の第２周壁部２５ｂは、例えば８５ｍｍの高さを有する。また、マット２０の胴部部分２４の左右の第３周壁部２５ｃは、周囲よりも若干低く形成され、例えば４０ｍｍの高さを有する。さらに、マット２０の脚部側の第４周壁部２５ｄは、例えば３０ｍｍの高さを有し、且つ、マット面２１に向かって延在する他の周壁２５の対応する部分よりも緩やかな傾斜面２５ｅを有する。
【００２６】
マット２０が上述したような構成を有することによって、寝かせた乳幼児を包み込むように保護し、乳幼児の動きを緩やかに規制することが可能となる。すなわち、左右の第１周壁部２５ａが高く形成され、且つ、狭窄した胴部部分２４を有することによって乳幼児の寝返りが防止され、おむつの交換作業をスムーズに行うことが可能となる。言い換えると、乳幼児の寝返りを防止するように、マット２０の幅が狭く設定され、結果として、従来品と比較して全体の寸法を大きくすることなく、荷物を置くための交換台本体１０の平面領域Ａ（物品載置部）だけをより拡大させることが可能となる。
【００２７】
また、交換台本体１０の平面領域Ａに隣接する左右の第１周壁部２５ａが、或る程度の高さを有することによって、保護者が平面領域Ａに荷物を置いたとしても、マット２０で寝ている乳幼児の方に荷物が倒れるのを防止している。また、頭部側の第２周壁部２５ｂが最も高く形成されていることによって、乳幼児が寝ている状態でマット面２１を蹴りながら上へ移動することが防止される。さらに、脚部側の第４周壁部２５ｄがより低く形成されていることから、乳幼児の落下を防止すると共に、周壁２５の傾斜面２５ｅに沿って乳幼児を座らせることができ、靴の履き替え等を容易に行うことが可能となる。
【００２８】
マット２０は、横方へ延在する突起２６を有している。なお、「横方」とは、マット面２１と平行な方向をいう。さらに、「横方へ延在する」とは、必ずしもマット面２１に沿った厳密な意味での平行である必要はなく、横方の方向の成分を含むように斜め下方等に延在することも含まれる。具体的には、本実施形態において、マット２０の左右の第１周壁部２５ａの各々の外周面から左右方向外方、すなわち横方へそれぞれ２つ、合計４つの突起２６が延在している。各突起２６は、マット面２１に平行で且つ全体として平板状の部材である。
【００２９】
図７は、下部ハウジング１１に取り付けられた上部第１ハウジング１２の斜視図である。図７と共に図６も参照しながら、上部第１ハウジング１２及び上部第２ハウジング１３について説明する。
【００３０】
図７を参照すると、上部第１ハウジング１２は、マット２０の左右の一方側の２つの突起２６に対応する位置に、突起２６を受容する受容部として２つの凹部１４を有する。また、図６に示されるように、上部第２ハウジング１３も上部第１ハウジング１２と同様に、マット２０の左右の他方側の２つの突起２６に対応する位置に、突起２６を受容する受容部として２つの凹部１４を有する。上部第１ハウジング１２及び上部第２ハウジング１３のマット２０と対向する周縁部は、マット２０の左右の第１周壁部２５ａの外形と相補的に形成されている。
【００３１】
また、図７に示されるように、マット２０と対向する上部第１ハウジング１２の表面であって周縁部近傍の両端部には、湾曲した溝部１５が形成されている。図示していないが、上部第２ハウジング１３の対応する箇所にも同様の溝部が形成されている。したがって、上部第１ハウジング１２及び上部第２ハウジング１３は、合計４つの溝部１５を有する。各溝部１５は、マット２０の４つの薄壁の角部２７（図４及び図６）が嵌合するように形成されている。
【００３２】
図８は、突起２６と凹部１４との係合を示す斜視図であり、図９は、突起２６と凹部１４との係合を示す断面図である。図８は、上部第２ハウジング１３の凹部１４と、マット２０の突起２６との係合を示しているが、上部第１ハウジング１２の凹部１４との係合も同様である。マット２０の突起２６は、マット２０を交換台本体１０に取り付けた状態で、凹部１４の下方、すなわち下部ハウジング１１側に配置される。そのため、マット２０が交換台本体１０から外れる方向（図９において上方向）の移動に対して、マット２０の突起２６と、上部第１ハウジング１２及び上部第２ハウジング１３、すなわち交換台本体１０の凹部１４とが係合し、マット２０が外れてしまうのを規制する。また、凹部１４が、３方を囲む隔壁１４ａ（図８）によって画成されていることによって、突起２６の移動が規制される。
【００３３】
図１０は、マット２０の取り付け方を示す図である。マット２０の取り付け作業は、おむつ交換台１の施行時に行われる上下の変更や、マット２０のクッション部材の汚れや破れ等が生じて新しいマット２０に交換する場合に行われる。マット２０の交換作業は、交換台本体１０が水平な状態、すなわちおむつ交換台１の使用状態の位置で行われる。
【００３４】
まず作業者は、図７に示される下部ハウジング１１及び上部第１ハウジング１２の状態から、上部第１ハウジング１２に対向するマット２０の一方側の２つの突起２６を、対応する上部第１ハウジング１２の凹部１４近傍に配置する。このとき、マット２０は、最終的に、突起２６及び凹部１４の係合を実現しつつ、マット２０の角部２７を上部第１ハウジング１２の溝部１５に嵌合させるため、交換台本体１０の回動軸線と平行な軸線周りに回転させた状態、すなわち、交換台本体１０に対して傾斜させた状態にする。この状態で上部第２ハウジング１３を用意し、マット２０の他方側の２つの突起２６を、対応する上部第２ハウジング１３の凹部１４に係合させつつ、マット２０の角部２７を上部第２ハウジング１３の溝部１５に嵌合させるように取り付ける。この状態が、図１０に示されている。
【００３５】
なお、上述した図８は、この状態の上部第２ハウジング１３及びマット２０を下方から見たものである。次いで、上部第２ハウジング１３を下部ハウジング１１に嵌合するように下方へ降ろすと、マット２０の角部２７が上部第１ハウジング１２の溝部１５に嵌合すると共に、上部第２ハウジング１３及びマット２０が、下部ハウジング１１に配置される。最後に、上部第２ハウジング１３を螺合等の結合手段によって固定し、取り付けは完了する。なお、マット２０は、上部第１ハウジング１２及び上部第２ハウジング１３と係合し、上部第１ハウジング１２と上部第２ハウジング１３との間に挟み込まれていることから、固定するための結合手段を用いる必要はない。
【００３６】
上述した取り付け手順では、上部第１ハウジング１２が下部ハウジング１１に予め取り付けられた状態（図７）から開始し、上部第２ハウジング１３を一体的に取り付けた状態のマット２０の一方側を上部第１ハウジング１２側に当接させつつ、回転させながら取り付けを完了させた。しかしながら、例えば複数人で作業を行う場合等においては、予め一体的に取り付けた状態の上部第１ハウジング１２、マット２０及び上部第２ハウジング１３を、下部ハウジング１１に対して上方から被せるようにして取り付けを行ってもよい。すなわち、予め一体的に取り付けた状態の上部第１ハウジング１２、マット２０及び上部第２ハウジング１３では、マット２０の角部２７が上部第１ハウジング１２及び上部第２ハウジング１３の溝部１５に嵌合し、且つ、マット２０の突起２６と上部第１ハウジング１２及び上部第２ハウジング１３の凹部１４とが係合した状態であることから、取り付けを容易に行うことができる。
【００３７】
図６に示されるように、４つの突起２６を含むマット２０の外形は、中心点Ｃを中心とした点対称である。したがって、マット２０を、図６において中心点Ｃを中心に１８０度回転させたとしても、すなわち、寝かせた乳幼児の上下が逆になるようにマット２０を配置したとしても、交換台本体１０に対して係合可能に取り付けが可能である。マット２０の配置を変更する場合は、上述した取り付け時とは逆の順番で作業を行うことによって、交換台本体１０からマット２０を取り外す。
【００３８】
なお、上部第１ハウジング１２及び上部第２ハウジング１３の係合部である凹部１４、すなわち交換台本体１０の凹部１４と、被係合部であるマット２０の突起２６とは、マット２０が交換台本体１０から外れる方向に対して互いに係合可能である限り、それぞれ任意の形状であってもよい。例えば、突起２６は、平板状でなく円柱状であってもよい。また、受容部である凹部１４は、隔壁１４ａに画成されている必要はなく、単に平坦な部分であってもよく、図１１に示されるように突起２６が挿入されるような穴部１６であってもよい。また、交換台本体１０側に横方へ延在する突起を設け、マット２０側に突起と係合可能な凹部又は穴部を設けるように構成してもよい。
【００３９】
本発明によれば、マット２０を交換台本体１０に螺合等させる必要がなく、上部第１ハウジング１２及び上部第２ハウジング１３を螺合等させるだけでよいことから、着脱を容易に行うことが可能となる。したがって、マット２０の配置の変更時や交換時の作業性が向上し、おむつ交換台１のスムーズな施工及びその後のメンテナンスが可能となる。また、マット２０の取り付けが、部材に大きな弾性変形の伴うスナップ式の嵌合ではなく、剛性の高い、突起２６及び凹部１４の係合によってマット２０が交換台本体１０から外れてしまうのを規制していることから、非常に耐久性に優れた取り付け機構が実現できる。さらに、マット２０の取り付けの構造上、マット２０のクッション部材と、上部第１ハウジング１２等のその他の部材が干渉することがないことから、クッション部材を破損させることはない。
【符号の説明】
【００４０】
１    おむつ交換台
１０    交換台本体
１１    下部ハウジング
１２    上部第１ハウジング
１３    上部第２ハウジング
１４    凹部
２０    マット
２６    突起
３０    ベース
【図１】
0006614901.tif 000002
【図２】
0006614901.tif 000003
【図３】
0006614901.tif 000004
【図４】
0006614901.tif 000005
【図５】
0006614901.tif 000006
【図６】
0006614901.tif 000007
【図７】
0006614901.tif 000008
【図８】
0006614901.tif 000009
【図９】
0006614901.tif 000010
【図１０】
0006614901.tif 000011
【図１１】
0006614901.tif 000012